(57)【要約】      （修正有）【課題】従来の回転操作手段の操作性を保ちながら、誤動作を防止できる電子機器を提供する。【解決手段】ロックボタン１０の押下動作により、回転体１４が回転体保持部材のカム面に沿って回転、上下動作し、回転体１４の上下動に伴いモードダイアルは回転せずに上下動する。これにより保持突起が第１の保持部と当接している第１の状態と、保持突起が第２の保持部と当接している第２の状態を構成する。そして前記第１の状態において、ユーザーは前記モードダイアルを回転操作することが容易な状態となり、前記第２の状態において、前記モードダイアルを容易に回転することができない誤動作防止状態となる【選択図】図６
2016133692.tif 000002
【特許請求の範囲】
【請求項１】
回転操作可能な回転操作手段を有した電子機器であって、
外装部材（５１）と、
前記外装部材（５１）に相対して、回転操作可能な回転操作手段（５８）と、
前記回転操作手段（５８）に固定され、前記回転操作手段（５８）の軸方向へ伸長した腕（１１ａ）と、前記腕（１１ａ）先端に前記回転操作手段（５８）の内側へ伸長した第１の突起（１１ｂ）を有する保持部材（１１）と、
前記保持部材（１１）に対して移動可能に配置され、前記外装部材（５１）側の一端に放射方向への第１の斜面（１０ｂ）を設けた第２の突起（１０ａ）を有するボタン（１０）と、
筒状であり、筒の底部側面に保持突起（１４ａ）を有し、筒の上部に第２の斜面（１４ｂ）と、前記第２の斜面（１４ｂ）と隣接する第３の斜面（１４ｃ）が複数設けられ、前記第２の斜面（１４ｂ）と、隣接していない側の前記第３の斜面（１４ｃ）との間の外周側面に溝部（１４ｄ）を有し、前記第１の突起（１１ｂ）が嵌りこみ、かつ摺動可能とする溝形状（１４ｅ）を設けた回転体（１４）と、
筒状であり、前記保持突起（１４ａ）が当接するカム面（１３ａ）を筒の内周側へ有し、前記回転体（１４）を、前記回転操作手段（５８）をユーザーが操作可能となる第一の状態で保持するように、前記保持突起部（１４ａ）を保持する第１の保持部（１３ｃ）と、前記回転体（１４）を前記回転操作手段（５８）が前記外装部材（５１）に潜り込んだ第二の状態で保持するように、前記保持突起部（１４ａ）を保持する第２の保持部（１３ｄ）とを前記カム面（１３ａ）に有し、前記腕（１１ａ）を直進のみ摺動可能とする直進溝部（１３ｆ）を内周に有する回転体保持部材（１３）と、
前記回転体保持部材（１３）に固定され、前記回転操作手段（５８）の回転操作と連動して回転可能なベース部材（１６）と、
前記ベース部材（１６）から、前記回転体（１４）を前記回転操作手段（５８）側へ付勢する様に配置された第１の弾性体（１２）と、
前記回転体（１４）から前記ボタン（１０）を前記回転操作手段（５８）側へと付勢する様に配置された第２の弾性体（１５）を有し、
前記溝部（１４ｄ）は、前記回転体（１４）が前記第一の状態にある時に、前記直進溝部（１３ｆ）と前記回転体（１４）の中心方向へ隣接した位置に配置されていることを特徴とする電子機器。
【請求項２】
前記直進溝部（１３ｆ）上部に外周より貫通した穴状の回転伝達部（１３ｇ）を有し、前記回転伝達部（１３ｇ）の幅が前記直進溝部（１３ｆ）の幅より小さいことを特徴とする請求項１に記載の電子機器。
【発明の詳細な説明】
【技術分野】
【０００１】
本発明は、画像を撮影する画像撮像装置などの携帯型電子機器において、機器の動作モードを指定するための回転操作手段の構造に関する。
【背景技術】
【０００２】
従来、デジタルスチルカメラのような撮像装置には、撮影時の様々な設定変更や、撮影モードの変更等をするための、回転操作手段を有しているものがある。
【０００３】
しかしながら、従来の回転操作手段では撮像装置を鞄の中に入れて持ち運ぶ際に、鞄の中の他の物にあたり回転操作手段が回転してしまい、撮影モードが切り替わってしまうことがある。このため、前回使用時に選択していた撮影モードで撮影したつもりが、不用意に切り替わっていたために意図していない撮影モードで撮影してしまうことがあり不便である。
【０００４】
特許文献１には、回転操作手段を安易に誤動作させないものが開示されている。また、特許文献２には、確実に回転操作手段をロックするものが開示されている。
【先行技術文献】
【特許文献】
【０００５】
【特許文献１】特開２００８−２１１２９３号公報
【特許文献２】特開２００８−１７０４９４号公報
【発明の概要】
【発明が解決しようとする課題】
【０００６】
しかしながら、上述の特許文献１の方法では回転操作可能な範囲が、回転操作手段側面の一部分となっており誤作動防止に効果はあるが、操作性が犠牲となっている。また、上述の特許文献２の方法では常に回転操作手段をロックの位置に切り替える構成のため、使用時には毎回撮影モードを切り替える必要があり不便である。
【０００７】
本発明は、上記従来技術の問題を解決するためになされたものであり、従来の回転操作手段の操作性を保ちながら、誤動作を防止する電子機器を提供することを目的とする。
【課題を解決するための手段】
【０００８】
上記の目的を達成するために、本発明は、
回転操作可能な回転操作手段を有した電子機器であって、
外装部材（５１）と、前記外装部材（５１）に相対して、回転操作可能な回転操作手段（５８）と、前記回転操作手段（５８）に固定され、前記回転操作手段（５８）の軸方向へ伸長した腕（１１ａ）と、前記腕（１１ａ）先端に前記回転操作手段（５８）の内側へ伸長した第１の突起（１１ｂ）を有する保持部材（１１）と、前記保持部材（１１）に対して移動可能に配置され、前記外装部材（５１）側の一端に放射方向への第１の斜面（１０ｂ）を設けた第２の突起（１０ａ）を有するボタン（１０）と、筒状であり、筒の底部側面に保持突起（１４ａ）を有し、筒の上部に第２の斜面（１４ｂ）と、前記第２の斜面（１４ｂ）と隣接する第３の斜面（１４ｃ）が複数設けられ、前記第２の斜面（１４ｂ）と、隣接していない側の前記第３の斜面（１４ｃ）との間の外周側面に溝部（１４ｄ）を有し、前記第１の突起（１１ｂ）が嵌りこみ、かつ摺動可能とする溝形状（１４ｅ）を設けた回転体（１４）と、筒状であり、前記保持突起（１４ａ）が当接するカム面（１３ａ）を筒の内周側へ有し、前記回転体（１４）を、前記回転操作手段（５８）をユーザーが操作可能となる第一の状態で保持するように、前記保持突起部（１４ａ）を保持する第１の保持部（１３ｃ）と、前記回転体（１４）を前記回転操作手段（５８）が前記外装部材（５１）に潜り込んだ第二の状態で保持するように、前記保持突起部（１４ａ）を保持する第２の保持部（１３ｄ）とを前記カム面（１３ａ）に有し、前記腕（１１ａ）を直進のみ摺動可能とする直進溝部（１３ｆ）を内周に有する回転体保持部材（１３）と、
前記回転体保持部材（１３）に固定され、前記回転操作手段（５８）の回転操作と連動して回転可能なベース部材（１６）と、前記ベース部材（１６）から、前記回転体（１４）を前記回転操作手段（５８）側へ付勢する様に配置された第１の弾性体（１２）と、前記回転体（１４）から前記ボタン（１０）を前記回転操作手段（５８）側へと付勢する様に配置された第２の弾性体（１５）を有し、前記溝部（１４ｄ）は、前記回転体（１４）が前記第一の状態にある時に、前記直進溝部（１３ｆ）と前記回転体（１４）の中心方向へ隣接した位置に配置されていることを特徴とする。
【発明の効果】
【０００９】
本発明によれば、従来の回転操作手段の操作性を保ちながら、誤動作を防止可能な電子機器の提供を実現できる。
【図面の簡単な説明】
【００１０】
【図１】本発明の実施形態に係る分解斜視図
【図２】本発明の実施形態に係る斜視図
【図３】本発明の実施形態に係る分解斜視図
【図４】本発明の実施形態に係る断面図
【図５】本発明の実施形態に係るカム溝展開図
【図６】本発明の実施形態に係る側面図
【図７】本発明の実施形態に係る分解斜視図
【図８】本発明の実施形態に係る斜視図
【発明を実施するための形態】
【００１１】
以下に、本発明の好ましい実施の形態を、添付の図面に基づいて詳細に説明する。図１乃至図８は本発明の実施形態にかかわる回転操作手段を有する撮像装置の図である。
【実施例１】
【００１２】
図８は本発明における撮像装置であるデジタルカメラ正面斜視図である。５１は撮像装置の外装部材であり、その上面部には回転操作可能なモードダイアル５８を有している。前記モードダイアル５８を回転させることにより所望の撮影モードをデジタルカメラ外装に設けられた指標と位相を合わせることで選択することが可能となっている。次に、前記モードダイアル５８の構造詳細を説明する。
【００１３】
図１は本発明の前記モードダイアル５８の構成要素を示す分解斜視図である。図１において、本実施例の各部品の名称と役割について説明する。
【００１４】
同図において、１０はロックボタン、１１は保持部材、１２は第１の圧縮バネ、１３は回転体保持部材、１４は筒状の回転体、１５は第２の圧縮バネ、１６はベース部材であり、これらでモードダイアル５８のＵＰ／ＤＯＷＮ機構を構成している。
【００１５】
前記保持部材１１は前記モードダイアル５８と接着固定により一体化されていると共に、前記回転体１３、前記第１の圧縮バネ１２、前記ロックボタン１０を挟持しながら前記回転体１４を回転可能に保持している。そのため、前記ロックボタン１０は前記モードダイアル５８及び前記保持部材１１の中心に設けられた貫通穴部に保持され、前記回転体１４と前記ロックボタン１２の間に配置された前記第１の圧縮バネ１２によって前記保持部材１１へと付勢されている。この時、前記第２の圧縮バネ１５は前記ベース部材１６と前記回転体１４の間に挟持されている。
【００１６】
また、２０は側面に複数の突起形状を設けたクリックホルダ、２４は端子、２５はビスであり、前記ビス２５は前記端子２４とクリックホルダ２０を、外装部材５１を挟持しながらベース部材１６に固定している。そのため、前記ベース部材１６、前記クリックホルダ２０及び、前記端子２４は、前記外装部材５１に対して一体的に回転可能となっている。
【００１７】
次に、２１はクリックボール、２２は第３の圧縮バネであり、それぞれ前記外装部材５１に組み込まれ、前記クリックボール２１は前記クリックホルダ２０の側面へと付勢されている。
【００１８】
２３はバネホルダであり、前記第３の圧縮バネ２２を前記外装部材５１に保持している。なお、前記端子２４は、不図示の本実施例の撮像装置の動作を制御するメイン基板へと接続されている、不図示の操作部基板上に構成された複数の電極パターン形状と接触している。そして、その複数の電極パターン形状と選択的に接触することにより、所定の電気的なオン、オフ信号を生成できる。前記端子２４の回転位置と対応しているので、前記電気的なオン、オフ信号を検知することで、所望の撮影モードの選択が可能となっている。
【００１９】
また、前記クリックホルダ２０が回転すると、その側面の複数の突起形状に当接している前記クリックボール２１が突起形状を乗り越える際に前記第３の圧縮バネ２２の圧縮量が変動してダイアルの回転負荷が変動するのでクリック感が発生する。そして、前記クリックホルダ２０の複数の突起間に前記クリックボール２１が前記第３の圧縮バネにより付勢されると、前記クリックホルダ２０をどちらの方向に回転させる場合も回転負荷が大きくなるので、所望の撮影モードを選択した位置で前記モードダイアル５８を保持することが可能となっている。
【００２０】
次に本実施例の前記モードダイアル５８の構成要素についての、より詳細な説明をする。図３（ａ）、（ｂ）は前記モードダイアル５８の内部構成部品の一部を示す分解斜視図である。図４は前記モードダイアルの回転中心におけるＡ−Ａ断面図である。
【００２１】
まず、図３（ａ）において、１１ａは前記保持部材１１から伸長した腕部であり、略同一円周上に等間隔に３ヶ所配置されている。また、１１ｂは３ヶ所の前記腕部１１ａのそれぞれの先端内側へ設けられた爪部であり、図４における１１ｅは前記保持部材１１に設けられたフランジ受け部である。
【００２２】
図３（ａ）に戻って、１０ａは前記ロックボタン１０に放射状に略等間隔で３ヶ所設けられた突起部であり、第１の斜面部１０ｂがそれぞれ設けられている。図４における１０ｃはフランジ部であり、前記ロックボタン１０の底面側外周に円周状に設けられており、前記第１のバネ１５によって前記保持部材１１の前記フランジ受け部１１ｅに付勢されながら当接している。
【００２３】
図３（ａ）に戻り、５８ａは前記モードダイアル５８の中心に設けられた穴部であり、前記ロックボタン１０の一部が挿通可能で外部に露出している。
【００２４】
１１ｃは前記保持部材１１に設けられた開口部であり、前記ロックボタン１０の前記突起部１０ａが挿通されることにより前記ロックボタン１０の回転を規制するようになっている。そのため、前記ロックボタン１０は前記保持部材１１、及び前記モードダイアル５８に対して、これらの回転軸と平行な方向の直進摺動のみ可能となっている。
【００２５】
また、図３（ｂ）において、１４ｅは前記回転体１４の外周側面に設けられた保持溝であり、図３（ａ）で説明した前記保持部材１１の前記爪部１１ｂがその前記保持溝１４ｅに摺動可能に嵌合し、前記モードダイアル５８と回転体１４の回転軸方向への相対的な移動を規制しつつ、相対的な回転動作のみ可能となっている。
【００２６】
１６ａは前記ベース部材１６に略同一円周上に３ヶ所設けられた固定爪である。１３ｈは前記回転体保持部材１３に略同一円周上に３ヶ所設けられた凹部である。前記回転体保持部材１３は、前記凹部１３ｈに前記ベース部材１６の前記固定爪１６ａが嵌合することにより前記ベース部材１６に固定されるので、前記回転体保持部材１３と前記ベース部材１６の相対的な回転が規制されている。
【００２７】
１３ａは前記回転体保持部材１３の内側に設けられたカム面であり、１３ｃの第１の保持部、１３ｅのガイド部、１３ｄの第２の保持部、及び１３ｂのカム斜面部が連続して構成されており、略同一円周上に略等間隔に３ヶ所設けられている。
【００２８】
１４ａは前記回転体１４の底部側面に略同一円周上に略等間隔に３ヶ所設けられた保持突起部であり、前記回転体保持部材１３が前記ベース部材１６に固定された時、前記回転体保持部材１３の前記カム面１３ａに当接する。この時、前記第２の圧縮バネ１５は、前記ベース部材１６と前記回転体１４との間に配置され、前記回転体１４の前記保持突起部１４ａを前記回転体保持部材１３の前記カム面１３ａに押しつける方向へ付勢している。そのため、前記回転体１４の前記保持突起部１４ａは前記回転体保持部材１３の前記カム面１３ａに対して常に当接状態で摺動可能となっている。
【００２９】
１３ｆは前記回転体保持部材１３の内側に設けられた直進溝であり、前記保持部材１１の前記腕部１１ａが挿入されている。そのため、前記保持部材１１及びモードダイアル５８は前記回転体保持部材１３に対して回転運動せずに前記直進溝１３ｆに沿って上下動のみ可能となっている。
【００３０】
ここで、前記保持部材１１を前記回転体１４への組立方法について説明する。図７は前記保持部材１１を前記回転体１４へ組み込む直前の状態の斜視図である。この状態は、前記モードダイアル５８に前記保持部材１１が一体化されており、前記回転体保持部材１３の前記カム面１３ａ側から前記回転体１４が挿入され、前記回転体１４の前記保持突起部１４ａが前記の第１の保持部１３ｃに保持されている。そして、前記保持部材１１と前記回転体１４との間に、前記ロックボタン１０と前記第１の圧縮バネ１２を配置し前記保持部材１１の前記爪部１１ｂを前記回転体１４の前記保持溝１４ｅに嵌合させる前の状態である。
【００３１】
１４ｄは前記回転体１４に設けられた溝部であり、前記保持部材１１の前記爪部１１ｂが干渉しない深さで、前記回転体１４の前記保持溝１４ｅの直前まで設けられている。前記保持部材１１の前記爪部１１ｂは前記回転体１４の上面から差し込まれ、前記保持溝１４ｅと嵌合する。この時、前記溝部１４ｄが前記保持溝１４ｅの直前まで設けられているため、前記爪部１１ｂの弾性変形する領域が前記保持溝１４ｅの直前だけとなり、前記腕部１１ａへの応力のかかる時間を短縮することができる。即ち、前記爪部１１ｂは前記保持部材１１が前記回転体１４から脱落しないようにするため、より高い剛性を確保しても組立可能となっている。また、前記溝部１４ｄが前記保持部材１１の前記爪部１１ｂを組み込む際のガイド部となっているため組立容易である。
【００３２】
１３ｇは前記直進溝１３ｆの上方へ連続して設けられた回転伝達部であり、外周から内周へと貫通している。そして、この時、前記溝部１４ｄは前記回転伝達部１３ｇと前記回転体１４の中心方向へ隣接した位置であり、前記第３の斜面１４ｃと、等間隔に３ヶ所配置された隣接していない側の前記第２の斜面１４ｂとの間に設けられている。そのため、前記回転体１４の前記溝部１４ｄ、前記第２の斜面１４ｂ、及び前記第３の斜面１４ｃを、前記回転体１４の上面から見て同円周上で重ならずに設けることができるため、前記回転体の径方向における小型化が可能となっている。
【００３３】
次に、前記回転体１４の動作に伴う前記モードダイアル５８の状態について説明する。図５は前記回転体保持部材１３の内側の展開図であり、前記直進溝１３ｆ、及び前記回転伝達部１３ｇと、前記モードダイアル５８の前記第１の状態から前記第２の状態への移行を示している。
【００３４】
前記回転体保持部材１３の前記第１の保持部１３ｃ、及び前記第２の保持部１３ｄは、図示のようにそれぞれ対向する２つの斜面から構成されている。そのため、前記回転体１４の前記保持突起１４ａが前記第２の圧縮バネにより、前記保持部１３ｃ、及び前記保持部１３ｄに付勢されている時は、前記回転体１４の前記保持突起部１４ａを安定的に保持することが可能となっている。
【００３５】
図２（ａ）は前記モードダイアル５８の第１の状態での斜視図であり、前記モードダイアル５８が前記外装部材５１から突出しており、ユーザーが前記モードダイアル５８を回転操作可能な状態である。また、この状態は前記回転体１４の前記保持突起１４ａが前記回転体保持部材１３の前記第１の保持部１３ｃに、前記第２の圧縮バネ１５にて付勢保持されている状態である。同様に、図２（ｂ）は第２の状態における斜視図であり、前記モードダイアル５８が前記外装部材５１に潜り込み、ユーザーが前記モードダイアル５８を回転操作できない状態である。
【００３６】
また、本実施例では、第２の状態では前記モードダイアル５８の上面と、前記外装部材５１の上面が略同一面となっている。また、この状態は前記回転体１４の前記保持突起１４ａが前記回転体保持部材１３の前記第２の保持部１３ｄに、前記第２の圧縮バネ１５にて付勢保持されている状態である。
【００３７】
図５において、Ｗ１は前記直進溝１３ｆの幅、Ｗ２は前記回転伝達部１３ｇの幅を示し、前記モードダイアル５８が前記第１の状態にある時の前記腕部１１ａとの接触部となっている。そして、Ｗ２＜Ｗ１の関係となっている。そのため、前記腕部１１ａが上下動する際に生じる摩擦が減少され、前記腕部１１ａの上下動を円滑にしている。さらにＷ２は前記腕部１１ａとのクリアランスが十分に小さく設定されており、前記腕部１１ａとのガタつきが抑えられている。つまり、前記モードダイアル５８の回転操作時のガタつきが抑えられていることとなる。また、前記回転体保持部材１３の製造時に、前記幅Ｗ２の寸法だけを調整することで、前記モードダイアル５８の回転方向のガタつきを調整可能となっている。
【００３８】
次に、前記ロックボタン１０押下時の前記回転体１４の動作について図６（ａ）、（ｂ）、及び図５を用いて説明する。図６（ａ）は前記ロックボタン１０、前記保持部材１１、及び前記回転体１４の側面図であり、前記第１の状態を示している。図５ではこの時、前記保持突起１４ａは前記第１の保持部１３ｃと当接している。図６（ｂ）は前記ロックボタン１０、前記保持部材１１、及び前記回転体１４の側面図であり、前記第２の状態を示している。図５ではこの時、前記保持突起１４ａは前記第２の保持部１３ｄと当接している。これらの図において、１４ｂは前記回転体１４の上面に設けられた第２の斜面部、１４ｃは同様に第３の斜面部であり、前記第２の斜面部１４ｂに隣接して設けられており、それぞれ略同円周上に等間隔に３ヶ所設けられている。
【００３９】
図６（ａ）において、前記第２の斜面部１４ｂは前記ロックボタン１０の前記第１の斜面部１０ｂの先端の直下になるように配置されている。前記第１の状態からユーザーが前記ロックボタン１０を押下すると前記第１の斜面部１０ｂが、前記回転体１４の前記第２の斜面部１４ｂと当接する。さらに前記ロックボタン１０を押下すると、前記回転体１４の前記第２の斜面部１４ｂに直角な方向に力が働く。この時、前記回転体１４は回転、及び下方向へと動こうとするが、前記保持突起１４ａが前記ガイド部１３ｅに当接し回転方向が規制されているため、下方向即ち図５の矢印Ａの方向へのみ移動する。この時、前記ロックボタン１０がさらに押されると、前記ロックボタン１０と共に前記モードダイアル５８、前記保持部材１１、前記回転体１４が下方向へ移動する。その後、図５の前記保持突起１４ａが、前記ガイド部１３ｅの端を越えるまで移動すると、上述の回転方向の分力により矢印Ｂのように前記第２の保持部１３ｄ側へ回転する。
【００４０】
１４ｆは前記第２の斜面１４ｂに隣接して設けられた第１のストッパー部であり、前記ロックボタン１０を押下し続けると、前記保持突起１４ａが、前記ガイド部１３ｅを乗り越えてから、前記ロックボタン１０の前記突起部１０ａが前記第１のストッパー部１４ｆに突き当たる。その後、前記ロックボタン１０の押下動作をやめると、前記第２の圧縮バネ１５により、前記保持突起部１４ａは前記第２の保持部１３ｅの斜面へと付勢され、斜面に沿って回転し保持される。また、前記ロックボタン１０は前記第１の圧縮バネ１５に付勢されているため、前記保持部材１１側へと移動する。そして、上述の回転体１４の動作により、前記第３の斜面部１４ｃが、前記第１の斜面部１０ｂの先端の真下に移動する。前記第２の状態、即ち図６（ｂ）の状態へとなる。
【００４１】
図６（ｂ）において、前記第３の斜面部１４ｃは前記ロックボタン１０の前記第１の斜面部１０ｂの先端の直下になるように配置されている。第２の状態から前記ロックボタン１０を押下すると、前記第１の斜面部１０ｂが、前記回転体１４の前記第３の斜面部１４ｃと当接する。さらに前記ロックボタン１０を押下すると、前記回転体１４の前記第３の斜面部１４ｃに直角な方向に力が働く。この時、前記回転体１４は回転、及び下方向へと動き、前記回転体保持部材１３の前記第２の保持部１３ｄの斜面を乗り越え、矢印Ｃのように前記第１の保持部１３ｃ側へ回転する。１４ｇは前記第３の斜面１４ｃに隣接して設けられた第２のストッパー部である。
【００４２】
前記ロックボタン１０を押下し続けると、前記回転体１４の前記保持突起１４ａが前記回転体保持部材１３の前記保持部１３ｅの斜面を乗り越えた後、前記ロックボタン１０の前記突起部１０ａが前記第２のストッパー部１４ｇに突き当たる。その後、前記ロックボタン１０の押下動作をやめると、前記回転体１４の前記保持突起１４ａは前記カム斜面部１３ｂに前記第２の圧縮バネにより付勢されているため、回転しながら前記カム斜面部１３ｂに沿って次の前記第１の保持部１３ｃへと付勢され保持される。また、前記ロックボタン１０は前記第１の圧縮バネにより付勢されているため、前記保持部材１１側へと移動する。そして、上述の前記回転体１４の動作により、次の前記第２の斜面部１４ｂが前記第１の斜面部１０ｂの先端の真下に移動する。前記第１の状態、即ち図６（ａ）の状態へとなる。
【００４３】
これらの動作により、前記ロックボタン１０を押下する度に、前記モードダイアル５８は前記第１の状態と、前記第２の状態を繰り返すこととなる。即ち、前記ロックボタン１０の押下動作により、前記回転体１４が前記回転体保持部材１３の前記カム面１３ａに沿って回転、上下動作し、前記回転体１４の上下動に伴い前記モードダイアル５８は回転せずに上下動する。
【００４４】
以上説明したように、前記第１の状態において、ユーザーは前記モードダイアル５８を回転操作容易であり、前記第２の状態においては、本発明の撮像装置を鞄の中などに入れて持ち運んでも、他の物にあたり回転してしまうことがなく、誤動作防止となっている。つまり、ユーザーが前記ロックボタン１０を押下動作するだけで、前記モードダイアル５８を前回選択した撮影モードのままで、使用状態と収納状態を容易に切り替えることが可能となっている。
【００４５】
以上、本発明の好ましい実施形態について説明したが、本発明はこれらの実施形態に限定されず、その要旨の範囲内で種々の変形及び変更が可能である。
【符号の説明】
【００４６】
１０  ロックボタン、１０ａ  突起部、１０ｂ  第１の斜面部、１１  保持部材、
１１ａ  腕部、１１ｂ  爪部、１１ｃ  開口部、１２  第１の圧縮バネ、
１３  回転体保持部材、１３ａ  カム溝、１３ｂ  カム溝斜面部、
１３ｃ  第１の保持部、１３ｄ  第２の保持部、１３ｅ  ガイド部、１３ｆ  直進溝部、
１３ｇ  回転伝達部、１３ｈ  凹部、１４  回転体、１４ａ  保持突起、
１４ｂ  第２の斜面部、１４ｃ  第３の斜面部、１４ｄ  溝部、１４ｅ  保持溝、
１４ｆ  第１のストッパー部、１４ｇ  第２のストッパー部、１５  第２の圧縮バネ、
１６  ベース部材、１６ａ  固定爪、１６ｂ  回転規制部、２０  クリックホルダ、
２１  クリックボール、２２  第３の圧縮バネ、２３  バネホルダ、２４  端子、
２５  ビス、５１  カメラ本体、５１ａ  ダイアル収納部、５２  撮影レンズ、
５３  電源スイッチ、５４  ズームレバー、５５  レリーズボタン、５６  マイク、
５７  スピーカー、５８  モードダイアル、５８ａ  穴部
【図１】
2016133692.tif 000003
【図２】
2016133692.tif 000004
【図３】
2016133692.tif 000005
【図４】
2016133692.tif 000006
【図５】
2016133692.tif 000007
【図６】
2016133692.tif 000008
【図７】
2016133692.tif 000009
【図８】
2016133692.tif 000010